(57)【特許請求の範囲】
【請求項１】
患者の頸部における深部の温度を測定するセンサから得られる、該温度の時系列データを取得する取得手段と、
前記時系列データから、前記患者の睡眠期間中における温度を示す部分時系列データを特定する特定手段と、
前記部分時系列データが表す各測定時刻の温度について、該温度と、予め設定されている基準温度と、の差分を計算し、該差分の合計値を、前記患者の睡眠の量として計算する第１の計算手段と、
前記部分時系列データが表す各測定時刻の温度のうち最も低い温度と、前記基準温度と、の差分を、前記睡眠の深度として計算する第２の計算手段と、
前記睡眠の量と前記睡眠の深度との組み合わせに対して予め定められている、前記睡眠の質を示す情報を前記患者に対して通知する通知手段と
を備えることを特徴とする睡眠評価装置。
【請求項２】
前記特定手段は、
前記時系列データが表す各温度を先頭測定時刻から順に参照して、初めて前記基準温度から規定量だけ下回った温度に達した測定時刻を特定し、該特定した測定時刻から、前記患者が起床したことを示す指示を検知した時刻、までの間の期間を前記睡眠期間とし、前記時系列データから、前記睡眠期間中における温度を示す部分時系列データを特定する
ことを特徴とする請求項１に記載の睡眠評価装置。
【請求項３】
前記通知手段は、
前記睡眠の量が閾値以上、且つ前記睡眠の深度が閾値以上、であれば、前記睡眠の質が良いことを前記患者に対して通知することを特徴とする請求項１又は２に記載の睡眠評価装置。
【請求項４】
前記通知手段は、
前記睡眠の量が閾値以上、且つ前記睡眠の深度が閾値未満、であれば、前記睡眠が浅い眠りであることを前記患者に対して通知することを特徴とする請求項１乃至３の何れか１項に記載の睡眠評価装置。
【請求項５】
前記通知手段は、
前記睡眠の量が閾値未満、且つ前記睡眠の深度が閾値以上、であれば、前記睡眠の時間が不足していることを前記患者に対して通知することを特徴とする請求項１乃至４の何れか１項に記載の睡眠評価装置。
【請求項６】
前記通知手段は、
前記睡眠の量が閾値未満、且つ前記睡眠の深度が閾値未満、であれば、前記睡眠が不足していることを前記患者に対して通知することを特徴とする請求項１乃至５の何れか１項に記載の睡眠評価装置。
【請求項７】
更に、
前記睡眠期間の開始時刻から、前記最も低い温度となった測定時刻までの時間長を前記睡眠の強度として計算する第３の計算手段と、
前記部分時系列データが表す各測定時刻の温度のうち終端時刻における温度と、前記基準温度と、の差分を、前記睡眠からの覚醒度として計算する第４の計算手段と、
を備え、
前記通知手段は、前記通知の代わりに、若しくは該通知と共に、前記睡眠の強度と前記睡眠からの覚醒度との組み合わせに対して予め定められている、前記患者の就寝覚醒リズムを示す情報を前記患者に対して通知する
ことを特徴とする請求項１又は２に記載の睡眠評価装置。
【請求項８】
前記通知手段は、
前記睡眠の強度が閾値以上、且つ前記覚醒度が閾値以上、であれば、前記患者の就寝覚醒リズムが異常であることを前記患者に対して通知することを特徴とする請求項７に記載の睡眠評価装置。
【請求項９】
前記通知手段は、
前記睡眠の強度が閾値以上、且つ前記覚醒度が閾値未満、であれば、前記患者の就寝覚醒リズムが不良であることを前記患者に対して通知することを特徴とする請求項７又は８に記載の睡眠評価装置。
【請求項１０】
前記通知手段は、
前記睡眠の強度が閾値未満、且つ前記覚醒度が閾値以上、であれば、前記患者の就寝覚醒リズムが不良であることを前記患者に対して通知することを特徴とする請求項７乃至９の何れか１項に記載の睡眠評価装置。
【請求項１１】
前記通知手段は、
前記睡眠の強度が閾値未満、且つ前記覚醒度が閾値未満、であれば、前記患者の就寝覚醒リズムが良いことを前記患者に対して通知することを特徴とする請求項７乃至１０の何れか１項に記載の睡眠評価装置。
【請求項１２】
睡眠評価装置の制御方法であって、
前記睡眠評価装置の取得手段が、患者の頸部における深部の温度を測定するセンサから得られる、該温度の時系列データを取得する取得工程と、
前記睡眠評価装置の特定手段が、前記時系列データから、前記患者の睡眠期間中における温度を示す部分時系列データを特定する特定工程と、
前記睡眠評価装置の第１の計算手段が、前記部分時系列データが表す各測定時刻の温度について、該温度と、予め設定されている基準温度と、の差分を計算し、該差分の合計値を、前記患者の睡眠の量として計算する第１の計算工程と、
前記睡眠評価装置の第２の計算手段が、前記部分時系列データが表す各測定時刻の温度のうち最も低い温度と、前記基準温度と、の差分を、前記睡眠の深度として計算する第２の計算工程と、
前記睡眠評価装置の通知手段が、前記睡眠の量と前記睡眠の深度との組み合わせに対して予め定められている、前記睡眠の質を示す情報を前記患者に対して通知する通知工程と
を備えることを特徴とする睡眠評価装置の制御方法。
【発明の詳細な説明】
【技術分野】
【０００１】
本発明は、睡眠を評価するための技術に関するものである。
【背景技術】
【０００２】
睡眠時無呼吸症候群の診断を行うための技術が特許文献１に開示されている。この特許文献１に開示されている技術では、ａ）被検者の睡眠の深さを検出するパラメータとしての体温（皮膚温、鼻腔温、および深部体温として直腸温、口腔温、膣温、食道温のうちの少なくとも１つ）と、該被検者の睡眠中の呼吸音を頸部密着型マイクロホンによって同時に検出するステップと、ｂ）前記呼吸音の時間周期、時間間隔、周波数、音量やこれらの因子を解析するステップと、を有することを特徴とする体温センサ付き検出端を用いた睡眠中呼吸音の解析によって睡眠時無呼吸症候群の検出・評価を行っている。
【先行技術文献】
【特許文献】
【０００３】
【特許文献１】特開２００７−６１２０３号公報
【発明の概要】
【発明が解決しようとする課題】
【０００４】
本出願人は、このような睡眠時無呼吸症候群の検出や評価ではなく、睡眠そのものの評価を、睡眠時に頸部における深部の体温を測定するだけで行うことができる、という点に着想した。
【課題を解決するための手段】
【０００５】
本開示の第１の様態は、患者の頸部における深部の温度を測定するセンサから得られる、該温度の時系列データを取得する取得手段と、
前記時系列データから、前記患者の睡眠期間中における温度を示す部分時系列データを特定する特定手段と、
前記部分時系列データが表す各測定時刻の温度について、該温度と、予め設定されている基準温度と、の差分を計算し、該差分の合計値を、前記患者の睡眠の量として計算する第１の計算手段と、
前記部分時系列データが表す各測定時刻の温度のうち最も低い温度と、前記基準温度と、の差分を、前記睡眠の深度として計算する第２の計算手段と、
前記睡眠の量と前記睡眠の深度との組み合わせに対して予め定められている、前記睡眠の質を示す情報を前記患者に対して通知する通知手段と
を備えることを特徴とする。
【０００６】
本開示の第２の様態は、睡眠評価装置の取得手段が、患者の頸部における深部の温度を測定するセンサから得られる、該温度の時系列データを取得する取得工程と、
前記睡眠評価装置の特定手段が、前記時系列データから、前記患者の睡眠期間中における温度を示す部分時系列データを特定する特定工程と、
前記睡眠評価装置の第１の計算手段が、前記部分時系列データが表す各測定時刻の温度について、該温度と、予め設定されている基準温度と、の差分を計算し、該差分の合計値を、前記患者の睡眠の量として計算する第１の計算工程と、
前記睡眠評価装置の第２の計算手段が、前記部分時系列データが表す各測定時刻の温度のうち最も低い温度と、前記基準温度と、の差分を、前記睡眠の深度として計算する第２の計算工程と、
前記睡眠評価装置の通知手段が、前記睡眠の量と前記睡眠の深度との組み合わせに対して予め定められている、前記睡眠の質を示す情報を前記患者に対して通知する通知工程と
を備えることを特徴とする。
【発明の効果】
【０００７】
睡眠そのものの評価を、睡眠時に頸部における深部の体温を測定するだけで行うことができる。【０００８】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【０００９】
添付図面は明細書に含まれ、その一部を構成し、本発明の実施の形態を示し、その記述と共に本発明の原理を説明するために用いられる。
【図１】システムの構成例を示す図。
【図２】センサ１５０のハードウェア構成例を示すブロック図。
【図３】睡眠評価装置１００のハードウェア構成例を示すブロック図。
【図４】温度の時系列データの波形例を示す図。
【図５】評価に用いる情報の構成例を示す図。
【図６】睡眠の質を評価するための処理のフローチャート。
【図７】就寝覚醒リズムを評価するための処理のフローチャート。
【発明を実施するための形態】
【００１０】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１１】
［第１の実施形態］
先ず、患者の頸部の深部の温度（体温）の時系列データから、該患者の睡眠について評価する為のシステムの構成例について、図１を用いて説明する。
【００１２】
１５０は頸部の深部の温度を測定するためのセンサで、図１に示す如く、患者１９０の頸部に装着する。患者の頸部における深部の温度を測定するためのセンサ、その動作原理、その使用方法については周知であるため、これに係る説明は省略する。
【００１３】
センサ１５０は頸部における深部の温度を定期的に測定し、各測定タイミング（時刻）における測定値（即ち測定した温度）を、該測定タイミングと関連づけて、無線で睡眠評価装置１００に対して送信する。送信するタイミングについては別段特定のタイミングに限るものではない。即ち、測定する度に、測定した温度と測定したタイミングのセットを送信しても良いし、規定数のセットごとにまとめて送信するようにしても良い。
【００１４】
睡眠評価装置１００には、様々な情報を表示可能な表示画面１１０と、各種の指示を入力するためのボタン１２０と、が備わっている。睡眠評価装置１００は、センサ１５０から送信されたそれぞれのセットを保持し、患者１９０の睡眠を評価する旨の指示がボタン１２０の押下によって入力された場合には、この保持しておいたセットを用いて、患者１９０の睡眠を評価する。
【００１５】
次に、センサ１５０のハードウェア構成例について、図２のブロック図を用いて説明する。
【００１６】
深部温計測センサ２０１は、センサ１５０を取り付けた部位における深部の温度を測定するためのセンサである。本実施形態では、センサ１５０は患者１９０の頸部に取り付けるので、深部温計測センサ２０１は該頸部における深部の温度を測定することになる。
【００１７】
深部温計測センサ２０１からは定期的に測定した温度のデータが時系列に送出され、この送出されたデータは、測定タイミング（タイマ２０３により計時）のデータと共に、メモリ２０２に登録される。然るにメモリ２０２には、測定した温度の時系列データと、各温度の測定時刻と、が登録されることになる。
【００１８】
通信部２０４は、メモリ２０２に格納されているデータを定期的若しくは不定的に、無線通信でもって睡眠評価装置１００に対して送出する。上記の通り、メモリ２０２に登録されているデータの送信タイミングは如何なるタイミングであっても良く、特定のタイミングに限るものではない。
【００１９】
上記の各部はバス２０５に接続されている。
【００２０】
次に、睡眠評価装置１００のハードウェア構成例について、図３のブロック図を用いて説明する。
【００２１】
ＣＰＵ３０１は、ＲＡＭ３０２やＲＯＭ３０３に格納されているコンピュータプログラムやデータを用いて処理を実行することで、睡眠評価装置１００全体の動作制御を行うと共に、睡眠評価装置１００が行うものとして後述する各処理を実行する。
【００２２】
ＲＡＭ３０２は、ＲＯＭ３０３からロードされたコンピュータプログラムやデータを一時的に記憶するためのエリアや、通信部３０４によりセンサ１５０から受信したデータを一時的に記憶するためのエリアを有する。また、ＲＡＭ３０２は、ＣＰＵ３０１が各種の処理を実行する際に用いるワークエリアも有する。即ち、ＲＡＭ３０２は、各種のエリアを適宜提供することができる。
【００２３】
ＲＯＭ３０３は、ＥＥＰＲＯＭなどにより構成されており、睡眠評価装置１００が行うものとして後述する各処理をＣＰＵ３０１に実行させるためのコンピュータプログラムやデータが格納されている。また、患者１９０に固有の情報や、後述する処理において既知の情報として取り扱う情報についてもこのＲＯＭ３０３に格納されている。
【００２４】
ボタン１２０は上記の通り、睡眠評価装置１００の操作者が操作することで、各種の指示を入力するために用いるものである。ここではボタン１２０は１つのボタンにより構成されているものとするが、後述する操作ごとに設けても良い。
【００２５】
表示画面１１０は、液晶画面などにより構成されており、ＣＰＵ３０１による処理結果を画像や文字などでもって表示することができる画面である。
【００２６】
通信部３０４は、センサ１５０との間の無線通信を行うためのものであり、センサ１５０から送信されたデータを受信するためのものである。
【００２７】
上記の各部はバス３０５に接続されている。
【００２８】
次に、患者１９０の睡眠を評価するために該患者１９０の頸部における深部の温度を測定する方法について説明する。患者１９０の睡眠を評価するために用いる該患者１９０の頸部における深部の温度を取得するためには、睡眠前に患者１９０の頸部にセンサ１５０を取り付けておく必要がある。睡眠前に患者１９０の頸部にセンサ１５０を取り付けると、深部温計測センサ２０１は頸部における深部の温度の測定を開始するので、センサ１５０のメモリ２０２には、頸部にセンサ１５０を取り付けてからの各測定時刻における温度のデータが該測定時刻と共に記録される。そして患者１９０は頸部にセンサ１５０を取り付けた状態のままで就寝する。この間も深部温計測センサ２０１は温度測定を続けており、メモリ２０２へのデータの記録動作が続けられる。センサ１５０の通信部２０４は、メモリ２０２にセット（温度のデータと測定時刻）が記録される度に該セットを睡眠評価装置１００に対して送信しても良いし、規定数のセットが記録される度に該規定数のセットを睡眠評価装置１００に対して送信しても良い。睡眠評価装置１００の通信部３０４は、通信部２０４によって送信されたデータを受信し、ＣＰＵ３０１はこの受信したデータをＲＡＭ３０２に記録するので、ＲＡＭ３０２には、患者１９０の頸部にセンサ１５０を取り付けて以降の各測定時刻における温度のデータと該測定時刻とが記録されることになる。そして患者１９０は起床すると、予め患者１９０の手元に配置しておいた睡眠評価装置１００のボタン１２０を押下する。ボタン１２０の押下は患者１９０自身が行っても良いし、他のものが行っても良い。ＣＰＵ３０１は、この押下を検知したタイミングを患者１９０の起床タイミングと判断し、ＲＡＭ３０２へのデータの記録動作を停止させる。これによりＲＡＭ３０２には、患者１９０の頸部にセンサ１５０を取り付けてから起床するまでの各測定時刻における温度のデータと該測定時刻とが記録されていることになる。
【００２９】
このようにして、ＲＡＭ３０２に「患者１９０の頸部にセンサ１５０を取り付けてから起床するまでの各測定時刻における温度のデータと該測定時刻」が取り込まれた後、この取り込んだデータを用いて睡眠評価装置１００が患者１９０の睡眠を評価するために行う処理について、同処理のフローチャートを示す図６を用いて説明する。
【００３０】
なお、図６のフローチャートに従った処理をＣＰＵ３０１に実行させるためのコンピュータプログラムやデータは、ＲＯＭ３０３に格納されている。然るにＣＰＵ３０１は、このコンピュータプログラムやデータをＲＯＭ３０３からＲＡＭ３０２にロードし、このロードされたコンピュータプログラムやデータを用いて処理を実行することで、図６のフローチャートに従った処理を実行することができる。
【００３１】
ステップＳ６０１では、評価開始の指示が入力されたか否かを判断する。この判断では、ボタン１２０が押下されたことを検知した場合には評価開始の指示が入力されたと判断しても良いし、表示画面１１０がタッチパネル画面であり、且つ該表示画面１１０に評価開始のボタン画像が表示されており、睡眠評価装置１００の操作者がこのボタン画像をタッチしたことを検知した場合には評価開始の指示が入力されたと判断しても良い。即ち、評価開始の指示をどのような方法で入力するのか、どのような方法で検知するのかについては特定の入力方法、特定の検知方法に限るものではない。
【００３２】
いずれにせよ、評価開始の指示が入力されたと判断した場合には、処理はステップＳ６０２に進み、入力されたことを検知していない限りは、処理はステップＳ６０１で待機する。
【００３３】
ステップＳ６０２では、ＲＡＭ３０２に格納されている、各測定時刻における温度のデータ、即ち、温度の時系列データから、睡眠期間における温度の時系列データ（部分時系列データ）を特定する。本ステップにおける処理についてより詳細に説明する。
【００３４】
各温度のデータには該温度の測定時刻が対応づけられているので、温度の時系列データが表す各温度を先頭測定時刻から順に参照して、初めて基準温度から規定量だけ下回った温度に達した測定時刻を特定することができる。
【００３５】
この基準温度は、患者１９０に対して予め設定されている温度であり、予め患者１９０の平均体温を測定し、これを基準温度としてＲＯＭ３０３に格納しておいても良いし、その取得方法は特定の方法に限るものではない。
【００３６】
そして、該特定した測定時刻から、温度の時系列データにおける終端時刻（即ち、患者１９０が起床してボタン１２０を押下したことをＣＰＵ３０１が検知した時刻）、までの間の期間を睡眠期間とし、温度の時系列データから、この睡眠期間中の各測定時刻における温度を示す部分時系列データを特定する。
【００３７】
ＲＡＭ３０２に格納されている温度の時系列データが表す温度の波形例を図４に示す。図４において横軸は測定時刻、縦軸は温度を示す。また、図４において波形４０１は温度の時系列データが表す波形であり、直線４０２は基準温度を示す。図４の場合、波形４０１において初めて基準温度から規定量だけ下回った温度に達した測定時刻はｔ１となっているので、ステップＳ６０２では先ずこのｔ１を特定する。そして、図４では、患者１９０が起床してボタン１２０を押下したことをＣＰＵ３０１が検知した時刻はｔ２としているので、ステップＳ６０２では、ｔ１からｔ２までの間の波形が、患者１９０の睡眠期間中における温度の波形を示していると判断する。もちろん、温度の時系列データから睡眠期間中における温度の時系列データを特定するための方法は上記の方法に限るものではなく、他の方法も考え得る。
【００３８】
ステップＳ６０３では、部分時系列データが表す各測定時刻の温度と基準温度と、の差分を計算し、該差分の合計値を、患者１９０の睡眠の量として計算する。図４の例では、ｔ１からｔ２までの各測定時刻について、該測定時刻における温度と基準温度との差分を計算する。そして、ｔ１からｔ２までの各測定時刻について求めた差分の合計値を、患者１９０の睡眠の量として計算する。この合計量を求めることは、図４の場合、波形４０１と直線４０２とで挟まれている領域をｔ１からｔ２まで積分することに等価である。
【００３９】
次に、ステップＳ６０４では、部分時系列データが表す各測定時刻の温度のうち最も低い温度と、上記基準温度と、の差分を、患者１９０の睡眠の深度として計算する。図４の例では、波形４０１において最も低い温度（測定時刻ｔ３における温度）と直線４０２が表す基準温度との差分ＤＴを、患者１９０の睡眠の深度として求める。
【００４０】
次に、ステップＳ６０５では、ステップＳ６０３で求めた睡眠の量と、ステップＳ６０４で求めた睡眠の深度と、の組み合わせから、患者１９０の睡眠の質を判断し、判断した結果を、表示画面１１０に表示する。ここで、ＲＯＭ３０３には、図５（５ａ）に例示するように、睡眠の量が閾値以上であるか否か及び睡眠の深度が閾値以上であるか否かの組み合わせごとに、対応する睡眠の質が予め登録されている。図５（５ａ）はあくまでも説明を簡単にするために模式的に示した図面であり、上記組み合わせごとの対応する睡眠の質がデータとしてどのようにＲＯＭ３０３に登録されているのかについては、別段特定の方法に限るものではない。
【００４１】
図５（５ａ）に示す如く、睡眠の量が閾値（例えば２）以上、且つ睡眠の深度が閾値（例えば０．５）以上、であれば、睡眠の質は良い。また、睡眠の量が閾値以上、且つ睡眠の深度が閾値未満、であれば、睡眠は浅い眠りである。また、睡眠の量が閾値未満、且つ睡眠の深度が閾値以上、であれば、睡眠の時間は不足している。また、睡眠の量が閾値未満、且つ睡眠の深度が閾値未満、であれば、睡眠は不足している。
【００４２】
然るに、図５（５ａ）に示したような組み合わせ表を参照すれば、ステップＳ６０３で求めた睡眠の量と閾値との大小比較結果と、ステップＳ６０４で求めた睡眠の深度と閾値との大小比較結果と、の組み合わせに対応する、睡眠の質に係る情報が得られる。
【００４３】
そして得た情報に対応する画面を表示画面１１０上に表示するのであるが、例えば、「睡眠の質は良い」、「睡眠は浅い眠りである」、「睡眠の時間は不足している」、「睡眠は不足している」などの文字情報を表示しても良いし、これらに対応するアイコン（「睡眠の質は良い」の場合には笑っている顔のアイコン、「睡眠は浅い眠りである」の場合には少し眠そうな顔のアイコン、「睡眠の時間は不足している」や「睡眠は不足している」の場合にはより眠そうな顔のアイコン）を表示しても良い。
【００４４】
また、睡眠の質を睡眠評価装置１００の操作者に通知するための方法はこのような表示に限るものではなく、例えば、睡眠評価装置１００に音声出力機能が備わっている場合には、音声によって「睡眠の質は良い」、「睡眠は浅い眠りである」、「睡眠の時間は不足している」、「睡眠は不足している」などのメッセージを出力するようにしてもよい。
【００４５】
また、「睡眠の質は良い」、「睡眠は浅い眠りである」、「睡眠の時間は不足している」、「睡眠は不足している」などのような睡眠の質の評価結果を携帯電話などの外部機器に対して出力して、外部機器のユーザに対して通知するようにしても構わない。即ち、睡眠の質の評価結果の出力先については特定の出力先に限るものではない。
【００４６】
［第２の実施形態］
第１の実施形態では、部分時系列データから患者１９０の睡眠の質を評価したが、本実施形態ではこの部分時系列データから、患者の就寝覚醒リズムを評価する。以下では、第１の実施形態との差分のみについて重点的に説明し、以下で特に触れない限りは、第１の実施形態と同様であるものとする。即ち、本実施形態においても図１に示した構成を有するシステムを用いて、患者１９０の頸部における深部の温度を測定する。
【００４７】
そして本実施形態では、図６のフローチャートに従った処理に代えて若しくは加えて、図７のフローチャートに従った処理を実行する。図７に示した各処理ステップのうち図６に示した処理ステップと同様の処理を行う処理ステップには同じ参照番号を付しており、この処理ステップに係る説明は省略する。
【００４８】
ステップＳ７０１では、睡眠期間の開始時刻から、温度が最も低くなった測定時刻までの時間長を、患者１９０の睡眠の強度として計算する。図４の場合、ｔ１からｔ３までの時間長Ｄを、患者１９０の睡眠の強度として計算する。
【００４９】
ステップＳ７０２では、部分時系列データが表す各測定時刻の温度のうち、睡眠期間の終了時刻（即ち、患者１９０が起床してボタン１２０を押下したことをＣＰＵ３０１が検知した時刻）における温度と、基準温度と、の差分を、患者１９０の睡眠からの覚醒度として計算する。図４の場合、ｔ２における温度と基準温度との差分ＫＴを、患者１９０の睡眠からの覚醒度として計算する。
【００５０】
ステップＳ７０３では、ステップＳ７０１で求めた睡眠の強度と、ステップＳ７０２で求めた覚醒度と、の組み合わせから、患者１９０の就寝覚醒リズムを判断し、判断した結果を、表示画面１１０に表示する。ここで、ＲＯＭ３０３には、図５（５ｂ）に例示するように、睡眠の強度が閾値以上であるか否か及び覚醒度が閾値以上であるか否かの組み合わせごとに、対応する就寝覚醒リズムが予め登録されている。図５（５ｂ）はあくまでも説明を簡単にするために模式的に示した図面であり、上記組み合わせごとの対応する就寝覚醒リズムがデータとしてどのようにＲＯＭ３０３に登録されているのかについては、別段特定の方法に限るものではない。
【００５１】
図５（５ｂ）に示す如く、睡眠の強度が閾値（例えば３００）以上、且つ覚醒度が閾値（例えば０．３）以上、であれば、就寝覚醒リズムは異常である。また、睡眠の強度が閾値以上、且つ覚醒度が閾値未満、であれば、就寝不良である。また、睡眠の強度が閾値未満、且つ覚醒度が閾値以上、であれば、覚醒は不良である。また、睡眠の強度が閾値未満、且つ覚醒度が閾値未満、であれば、就寝覚醒リズムは良い。
【００５２】
然るに、図５（５ｂ）に示したような組み合わせ表を参照すれば、ステップＳ７０１で求めた睡眠の強度と閾値との大小比較結果と、ステップＳ７０２で求めた覚醒度と閾値との大小比較結果と、の組み合わせに対応する、就寝覚醒リズムに係る情報が得られる。
【００５３】
そして得た情報に対応する画面を表示画面１１０上に表示するのであるが、表示は第１の実施形態と同様に、文字情報で表示しても良いし、アイコンなどでもって表示しても良い。また、就寝覚醒リズムの評価結果の通知方法は第１の実施形態と同様、表示に限るものではなく、音声でもって通知しても良い。また、就寝覚醒リズムの評価結果の出力先についても、第１の実施形態と同様、特定の出力先に限るものではない。
【００５４】
［第３の実施形態］
第１の実施形態で説明した睡眠の質の評価結果通知と、第２の実施形態で説明した就寝覚醒リズムの評価結果通知と、は両方を行っても良い。即ち、図６のフローチャートに従った処理、図７のフローチャートに従った処理、の両方を実行し（重複部分は実行省略）、表示画面１１０に睡眠の質の評価結果と、就寝覚醒リズムの評価結果と、を並べて表示しても良い。また、両方の評価結果を一度に表示するのではなく、ボタン１２０の押下ごとに睡眠の質の評価結果と、就寝覚醒リズムの評価結果と、を交互に切り替えて表示しても良い。この交互表示はボタン１２０の押下を介在せずに行うようにしても良い。
【００５５】
また、図６のフローチャートに従った処理、図７のフローチャートに従った処理、のどっちを実行するのかを睡眠評価装置１００の操作者に選択させるための画面を表示画面１１０に表示させて、該操作者がボタン１２０を用いて選択した一方の処理を実行するようにしても良い。
【００５６】
また、睡眠評価装置１００において睡眠の評価結果を表示する代わりに、睡眠評価装置１００はセンサ１５０から受信したデータ群をＰＣ（パーソナルコンピュータ）などの外部機器に対して転送し、該外部機器がこの転送されたデータを用いて睡眠評価を行うようにしても良い。
【００５７】
本発明は上記実施の形態に制限されるものではなく、本発明の精神及び範囲から離脱することなく、様々な変更及び変形が可能である。従って、本発明の範囲を公にするために、以下の請求項を添付する。
【図１】
0005908995.tif 000002
【図２】
0005908995.tif 000003
【図３】
0005908995.tif 000004
【図４】
0005908995.tif 000005
【図５】
0005908995.tif 000006
【図６】
0005908995.tif 000007
【図７】
0005908995.tif 000008